(57)【要約】【課題】カートン等の包装材から容器等の被包装物を取り出す際における包装材の置き方の自由度を高める。【解決手段】広面部１１に、広面部１１の第１端部１１ｉから広面部１１の内側に延びる第１切り裂き列１１ａ、１１ｂと、広面部１１の第２端部１１ｊから広面部１１の内側に延びる第２切り裂き列１１ｃ、１１ｄと、第１切り裂き列１１ａ、１１ｂと第２切り裂き部１１ｃ、１１ｄとの間に延びる第３切り裂き列１１ｅ、１１ｆとを形成する。第１切り裂き列１１ａ、１１ｂは、第１端部１１ｉから第３切り裂き列１１ｅ、１１ｆに向かう方向に広面部１１を容易に切り裂くことができ、第２切り裂き列１１ｃ、１１ｄは、第２端部１１ｊから第３切り裂き列１１ｅ、１１ｆに向かう方向に広面部１１を容易に切り裂くことができ、第３切り裂き列１１ｅ、１１ｆは、第１切り裂き列１１ａ、１１ｂら第２切り裂き列１１ｃ、１１ｄに向かう方向及びその反対方向の２つの方向のいずれにも容易に広面部１１を切り裂くことができる。【選択図】図３
2004250016.tif 000002
【特許請求の範囲】
【請求項１】
一対の広面部と一対の狭面部とで４面を構成する包装材であって、前記一対の広面部の少なくとも一方が、
前記広面部の第１端部から前記広面部の内側に延びる第１切り裂き部と、
前記広面部の第２端部から前記広面部の内側に延びる第２切り裂き部と、
前記第１切り裂き部と前記第２切り裂き部との間に延びる第３切り裂き部とを有し、
前記第１切り裂き部が、前記第１端部から前記第３切り裂き部に向かう方向に前記広面部を容易に切り裂くことができるように形成され、
前記第２切り裂き部が、前記第２端部から前記第３切り裂き部に向かう方向に前記広面部を容易に切り裂くことができるように形成され、
前記第３切り裂き部が、前記第１切り裂き部から前記第２切り裂き部に向かう方向及びその反対方向の２つの方向のいずれにも容易に前記広面部を切り裂くことができるように形成されていることを特徴とする包装材。
【請求項２】
前記第３切り裂き部が、前記広面部を前記２つの方向のいずれの方向に切り裂く際にもほぼ同一の力で切り裂きが可能なように形成されていることを特徴とする請求項１に記載の包装材。
【請求項３】
前記第２端部が、前記第１端部の対辺であることを特徴とする請求項１又は請求項２に記載の包装材。
【請求項４】
前記第１、第２、第３切り裂き部は、それぞれ一対の切り裂き列を有することを特徴とする請求項１乃至請求項３のいずれか１項に記載の包装材。
【請求項５】
前記第１切り裂き部を構成する一対の切り裂き列が、それぞれ前記第１端部の両端である前記広面部の角又はその付近から前記広面部の内側に伸び、
前記第２切り裂き部を構成する一対の切り裂き列が、それぞれ前記第２端部の両端である前記広面部の角又はその付近から前記広面部の内側に伸びていることを特徴とする請求項４に記載の包装材。
【請求項６】
前記第１切り裂き部を構成する一対の切り裂き列の間隔が、前記第１端部から前記広面部の内側に向かうにつれて小さくなり、
前記第２切り裂き部を構成する一対の切り裂き列の間隔が、前記第２端部から前記広面部の内側に向かうにつれて小さくなっていることを特徴とする請求項４又は請求項５に記載の包装材。
【請求項７】
前記第１切り裂き部が、前記第１端部から前記第３切り裂き部に向かう方向の他、その反対方向にも前記広面部を容易に切り裂くことができるように形成され、
前記第２切り裂き部が、前記第２端部から前記第第３切り裂き部に向かう方向の他、その反対方向にも前記広面部を容易に切り裂くことができるように形成されていることを特徴とする請求項１乃至請求項６のいずれか１項に記載の包装材。
【請求項８】
前記広面部が、前記第１端部で第１フラップ部に連結され、前記第２端部で第２フラップ部に連結されていることを特徴とする請求項１乃至請求項７のいずれか１項に記載の包装材。
【請求項９】
前記一対の広面部の双方が、前記第１、第２、第３切り裂き部を有することを特徴とする請求項１乃至請求項８のいずれか１項に記載の包装材。
【請求項１０】
前記一対の広面部の双方が同一の構造を有することを特徴とする請求項１乃至請求項８のいずれか１項に記載の包装材。
【請求項１１】
請求項１乃至請求項１０のいずれか１項に記載の包装材によって被包装物を包装してなることを特徴とする製品。
【請求項１２】
前記被包装物は、缶又はその集合体であることを特徴とする請求項１１に記載の製品。
【発明の詳細な説明】
【０００１】
【発明の属する技術分野】
本発明は、包装材に関する。
【０００２】
【従来の技術】
ビール等の飲料の容器は、カートン等の包装材に収容されて出荷、運搬等されうる。ビール容器は、所定本数単位でマルチパックとして包装された上でカートンに収容される場合もある。現在のところ、ビール容器は、典型的には、６本単位でマルチパックとして包装され、４つのマルチパックが１つのカートンに収容されている。
【０００３】
カートンからのマルチパックの取り出しを容易にすることに注目した先行技術として特許文献１がある。特許文献１には、各一対の広面板及び狭面板を継代片を介して連設して周壁をなし、その端縁から端フラップを延出したカートンであって、広面板に切目線を設け、この切目線の切断に伴い広面板の一部を開放できるようにしたものが開示されている。
【０００４】
【特許文献１】
特開２００２−１６６９２８号公報
【０００５】
【発明が解決しようとする課題】
カートンを開封してマルチパック又は容器を取り出そうとする場合に、カートンの置き方或いは向き、すなわち、カートンのどの部分を下にし、どの部分を上にするかが定められていると、開封者は、それに従ってカートンを床等の上に置く必要がある。すなわち、開封者は、カートンからマルチパック又は容器を取り出すことができるように予めカートンを回転させる必要がある。このような作業を開封者に強いることは、開封の作業を著しく低下させるばかりか、カートンを回転させる際にカートンを落下させカートン又はその中の容器を変形、破損等させる可能性もある。上記の特許文献１は、このような問題点については何ら開示していない。
【０００６】
本発明は、上記の課題認識に基づいてなされたものであり、例えば、包装材から容器等の被包装物を取り出す際における包装材の置き方の自由度を高めること、又は、２以上の向きのいずれの向きに包装材を置いた場合においても被包装物の容易な取り出しを可能にすることを目的とする。
【０００７】
【課題を解決するための手段】
本発明に係る包装材、例えば、カートンは、一対の広面部と一対の狭面部とで４面を構成する包装材に関する。典型的には、該包装材は、他にも２面を構成し、全部で６面を構成しうる。該包装材は、前記一対の広面部の少なくとも一方が、前記広面部の第１端部から前記広面部の内側に延びる第１切り裂き部と、前記広面部の第２端部から前記広面部の内側に延びる第２切り裂き部と、前記第１切り裂き部と前記第２切り裂き部との間に延びる第３切り裂き部とを有する。ここで、前記第１切り裂き部は、前記第１端部から前記第３切り裂き部に向かう方向に前記広面部を容易に切り裂くことができるように形成され、前記第２切り裂き部は、前記第２端部から前記第３切り裂き部に向かう方向に前記広面部を容易に切り裂くことができるように形成され、前記第３切り裂き部は、前記第１切り裂き部から前記第２切り裂き部に向かう方向及びその反対方向の２つの方向のいずれにも容易に前記広面部を切り裂くことができるように形成される。
【０００８】
本発明の好適な実施の形態によれば、前記第３切り裂き部は、前記広面部を前記２つの方向のいずれの方向に切り裂く際にもほぼ同一の力で切り裂きが可能なように形成されうる。
【０００９】
本発明の好適な実施の形態によれば、第１端部と前記第２端部とは、対辺となるように配置されうる。
【００１０】
本発明の好適な実施の形態によれば、前記第１、第２、第３切り裂き部は、それぞれ一対の切り裂き列を有することが好ましい。
【００１１】
本発明の好適な実施の形態によれば、前記第１切り裂き部を構成する一対の切り裂き列は、それぞれ前記第１端部の両端である前記広面部の角又はその付近から前記広面部の内側に伸び、前記第２切り裂き部を構成する一対の切り裂き列が、それぞれ前記第２端部の両端である前記広面部の角又はその付近から前記広面部の内側に伸びていることが好ましい。
【００１２】
本発明の好適な実施の形態によれば、前記第１切り裂き部を構成する一対の切り裂き列の間隔が、前記第１端部から前記広面部の内側に向かうにつれて小さくなり、前記第２切り裂き部を構成する一対の切り裂き列の間隔が、前記第２端部から前記広面部の内側に向かうにつれて小さくなっていることが好ましい。
【００１３】
本発明の好適な実施の形態によれば、前記第１切り裂き部が、前記第１端部から前記第３切り裂き部に向かう方向の他、その反対方向にも前記広面部を容易に切り裂くことができるように形成され、前記第２切り裂き部が、前記第２端部から前記第第３切り裂き部に向かう方向の他、その反対方向にも前記広面部を容易に切り裂くことができるように形成されてもよい。
【００１４】
本発明の好適な実施の形態によれば、前記広面部が、前記第１端部で第１フラップ部に連結され、前記第２端部で第２フラップ部に連結されていることが好ましい。ここで、第１フラップ及び第２フラップは、例えば、直方体の６面のうち前記４面以外の２面の全体又は一部分を構成しうる。
【００１５】
本発明の好適な実施の形態によれば、被包装物の取り出しの際の包装材の置き方の自由度の向上の観点では、前記一対の広面部の双方が、前記第１、第２、第３切り裂き部を有することが好ましい。ここで、前記一対の広面部の双方が同一の構造を有することが好ましい。ただし、包装材の強度を重視する場合には、前記一対の広面部の一方にのみ、前記第１、第２、第３切り裂き部を設けることが好ましい。
【００１６】
本発明は、上記のような包装材によって被包装物を包装してなる製品としても有用性を発揮しうる。すなわち、このような製品は、被包装物の取り出しが容易であり、優れた技術的効果を発揮する。ここで、前記被包装物は、例えば、缶（例えば、ビール缶）又はその集合体とすることができる。
【００１７】
【発明の実施の形態】
以下、添付図面を参照しながら本発明の好適な実施の形態を説明する。
【００１８】
図１は、本発明の包装材の好適な実施の形態としてのカートンの展開状態を示す図である。図２は、図１に示すカートンを箱状にした状態を示す図である。カートン（包装材）１００には、例えばビール等の飲料の容器が収容されうる。ここで、ビール等の容器は、独立した状態でカートン１００に収容されてもよいし、所定本数単位でマルチパックとして包装された上でカートン１００に収容されてもよい。なお、この明細書において、特に言及されない限り、包装材又はカートンは、展開状態（容器を包装する前の状態）のもの、及び、箱状態（容器を包装した後の状態）のものの双方を包含する意味として用いられる。
【００１９】
箱状態におけるカートン１００は、一対の広面部１１、１２と、一対の狭面部２１、２２とで６面のうちの４面が構成される。残りの２面のうちの１つの面は、フラップ３１、３３で構成され、残りの２面のうち他方の面は、フラップ３２、３４で構成されうる。
【００２０】
展開状態（板状態）のカートン１００は、広面部１１に狭面部２２が繋がるように連結部４１を広面部１１に固定し、更に、フラップ３５、３７がフラップ３１、３３の内側に配置され、フラップ３６、３８がフラップ３２、３４の内側に配置されるようにフラップ３１〜３８を直角に折り曲げて外側のフラップを内側のフラップに固定することによって箱状態にされる。なお、このような形式は、ラップラウンド式と呼ばれている。
【００２１】
第１広面部１１には、第１端部１１ｉから第１広面部１１の内側方向に延びる第１切り裂き部としての一対の第１切り裂き列１１ａ、１１ｂと、第２端部１１ｊから第１広面部１１の内側方向に延びる第２切り裂き部としての一対の第２切り裂き列１１ｃ、１１ｄと、第１切り裂き列１１ａ、１１ｂと第２切り裂き列１１ｃ、１１ｄとの間にそれぞれ延びる第３切り裂き部としての一対の第３切り裂き列１１ｅ、１１ｆとが形成されている。
【００２２】
ここで、第２端部１１ｊは、第１端部１１ｉの対辺とすることが好ましい。また、第１端部１１ｉにはフラップ３１が連結され、第２端部１１ｊにはフラップ３２が連結されていることが好ましい。
【００２３】
また、一対の第１切り裂き列１１ａ、１１ｂは、第１端部１１ｉの両端（第１広面部１１の角或いは頂点）又はその付近から第１広面部１１の内側方向に延びるように形成されることが好ましい。これにより、箱状のカートン１００を開封する際に広い開口部を形成することができ、被包装物の取り出しを容易に行なうことができる。更に、一対の第１切り裂き列１１ａ、１１ｂは、それらの間の間隔が第１端部１１ｉから遠ざかるにつれて小さくなるように形成されることが好ましい。これにより、開封時における箱状のカートン１００の強度をある程度強く保ち、しかも、カートン１００から取り出さずに残しておきたい被包装物が脱落等することを防止することができる。第２切り裂き列１１ｃ、１１ｄについても第１切り裂き列１１ａ、１１ｂと同様の構成とすることが好ましい。
【００２４】
第１、第２、第３切り裂き部のそれぞれは、離隔した２以上の切り裂き列からなる対ではなく、１本の切り裂き列で構成されてもよく、この場合は、箱状のカートン１００は、１本の切り裂き列で切り裂かれた後に、切り裂きによって自由になった部分がカートン１００の外側方向に引っ張られることにより広面部と狭面部との境界（陵線）を軸として観音開きするようにして開放されうる。
【００２５】
以上のような切り裂き部は、第２広面部１２にも形成することができる。第１広面部１１及び第２広面部１２の双方に切り裂き部を形成することにより、被包装物としての容器を取り出す際の自由度を向上させることができる。しかしながら、カートン１００の強度を重視する場合には、切り裂き部は、２つの広面部１１、１２のうち一方にのみ形成すべきである。
【００２６】
図１に示す例では、第２広面部１２にも切り裂き部１２ａ〜１２ｈが形成されている。すなわち、第２広面部１２には、第１端部１２ｉから第２広面部１２の内側方向に延びる第１切り裂き部としての一対の第１切り裂き列１２ａ、１２ｂと、第２端部１２ｊから第２広面部１２の内側方向に延びる第２切り裂き部としての一対の第２切り裂き列１２ｃ、１２ｄと、第１切り裂き列１２ａ、１２ｂと第２切り裂き列１２ｃ、１２ｄとの間にそれぞれ延びる第３切り裂き部としての一対の第３切り裂き列１２ｅ、１２ｆとが形成されている。
【００２７】
ここで、切り裂き列は、箱状態のカートン１００の一部（例えば、図３において符号２００、２１０を付した部分）を開放して被包装物としての容器を取り出す際にカートン１００を切り裂くために形成されている。換言すると、カートン１００は、切り裂き列の部分で切り裂かれることによって、開封者がカートン１００の外側から内側の被包装物にアクセスできるように構成されている。
【００２８】
カートン１００は、更に、箱状態のカートン１００を２分割するための切り裂き列２１ａ、２１ｂ、２２ａ、２２ｂが狭面部２１、２２に形成されていてもよい。開封者は、一対の切り裂き列２１ａ、２１ｂで両端が規定される帯部分及び一対の切り裂き列２２ａ、２２ｂで規定される帯部分をカートン１００から取り去ることにより、箱状のカートン１００を２つに分割することができる。ここで、帯部分の適当な箇所に切り込み２１ｃ、２２ｃを形成することが好ましい。開封者は、切り込み２１ｃ、２２ｃに指等を入れて帯部分を引っ張ることにより、切り込み２１ｃ、２２ｃの部分を開始点として帯部分の切り裂きを開始することができる。
【００２９】
第１切り裂き部としての第１切り裂き列１１ａ、１１ｂ、１２ａ、１２ｂは、第１端部１１ｉ、１２ｉから第１広面部１１、１２の内側方向に向かってのみ第１広面部１１、１２を容易に切り裂くことができるように形成されることが好ましいが、その逆方向にも容易に切り裂くことができるように形成されてもよい。第２切り裂き部としての第２切り裂き列１１ｃ、１１ｄ、１２ｃ、１２ｄは、第２端部１１ｊ、１２ｊから第１広面部１１、１２の内側方向に向かってのみ第２広面部１１、１２を容易に切り裂くことができるように形成されることが好ましいが、その逆方向にも容易に切り裂くことができるように形成されてもよい。なお、図１、図２中の矢印は、切り裂きが容易な方向を示している。
【００３０】
第３切り裂き部としての第３切り裂き列１１ｅ、１１ｆ、１２ｅ、１２ｆは、それぞれ第１切り裂き列１１ａ、１１ｂ、１２ａ、１２ｂから第２切り裂き列１１ｃ、１１ｄ、１２ｃ、１２ｄに向かう方向及びその逆方向のいずれにも容易に切り裂くことができるように、すなわち２方向に容易に切り裂きができるように形成される。ここで、第３切り裂き部は、２方向のいずれにおいてもほぼ同一の力で切り裂きが可能なように形成されることが好ましい。これにより、カートン１００の置き方に関らず、カートン１００を部分的に開放するために要する力はほぼ同一になる。
【００３１】
以下、第１及び第２切り裂き部を少なくとも１方向（広面部の内側に向かう方向）に広面部を切り裂くことができるように形成し、第３切り裂き部を両方向に広面部を切り裂くことができるように形成した構造の利点を図３を参照しながら説明する。
【００３２】
図３は、箱状のカートン１００から被包装物としての缶、例えばビール缶を取り出す様子を示す図である。図３においては、フラップ３２、３４で構成される面を下方としてカートン１００が床上に置かれている。このような置き方でカートン１００が置かれている場合、まず、フラップ３１を開けて、その後、フラップ３１を手前に引っ張ることにより第１切り裂き部としての一対の第１切り裂き列１１ａ、１１ｂで広面部１１を切り裂き、更に、一対の第３切り裂き列（両方向に切り裂きが可能な切り裂き列）１１ｅ、１１ｆで広面部１１を切り裂いて、カートン１００の一部（符号２００、２１０を付した部分）を開放する。これにより、開放部を通してカートン１００からビール缶４０のマルチパック５０を取り出すことができる状態になる。ここで、フラップ３３、３５、３７も開けることにより、マルチパック５０の取り出しが更に容易になる。
【００３３】
ここで、第２切り裂き列１１ｃ、１１ｄが一方向のみ（広面部１１の内側に向かう方向）に切り裂きが容易に形成されている場合には、第２切り裂き列１１ｃ、１１ｄは切り裂かれずに残る。したがって、下方に収容されているマルチパック５０が運搬時等に脱落することを防止することができる。
【００３４】
図１に示すように、２つの広面部１１、１２の双方に切り裂き部が形成されている場合には、上記の説明とは逆に、フラップ３３を引っ張って広面部１２を切り裂いてもよい。
【００３５】
次に、フラップ３１、３３で構成される面を下方としてカートン１００が床上に置かれた場合について説明すると、まず、フラップ３２（又は３４）を開けて、その後、フラップ３２（又は３４）を手前に引っ張ることにより第２切り裂き部としての一対の第２切り裂き列１１ｃ、１１ｄ（又は、１２ｃ、１２ｄ）で広面部１１を切り裂き、更に、一対の第３切り裂き列（両方向に切り裂きが可能な切り裂き列）１１ｅ、１１ｆで広面部１１（又は１２）を切り裂いて、カートン１００を部分的に開放する。ここで、フラップ３４（又は３２）、３６、３８も開けることにより、マルチパック５０の取り出しが更に容易になる。
【００３６】
更に、第２広面部１２を下方としてカートン１００が床上に置かれた場合には、フラップ３１側から又はフラップ３２側から第１広面部１１を切り裂けばよい。また、逆に、第１広面部１１を下方としてカートン１００が床上に置かれた場合には、フラップ３３側から又はフラップ３４側から第２広面部１２を切り裂けばよい。
【００３７】
更に、狭面部２１又は２２を下方としてカートン１００が床上に置かれた場合には、フラップ３１、３２、３３、３４のいずれかを引っ張ってそれに続く広面部を切り裂き部で切り裂けばよい。
【００３８】
広面部１１、１２には、上記のような開放操作の際に引っ張られる帯状部分（図３では、台形状の部分２１０）が折れ曲がり易くするために、折り曲げ用切り込み又は罫線（窪み）１１ｇ、１１ｈ、１２ｇ、１２ｈが形成されてもよい。例えば、図３に示すようにカートン１００を部分的に開放する場合には、一対の第１切り込み列１１ａ、１１ｂの最終部分まで広面部１１が切り裂かれた状態で図３において手前側に引っ張られた帯状部分（図３では、台形状の部分２１０）が切り込み１１ｇをヒンジ部として手前に容易に折れ曲がる。これにより、第３切り込み列１１ｅ、１１ｆの切り裂きを容易に開始することができるとともに、帯状部分が任意の部分で折れ曲がることによる見苦しさを防止することができる。
【００３９】
以上のように本発明の好適な実施の形態の両開き構造によれば、カートン１００の置き方（向き）に関らず、カートン１００を部分的に開放し、被包装物であるマルチパック５０を簡単に取り出すことができる。なお、このような効果は、独立した缶４０（すなわち、マルチパック５０で包装されていない缶）がカートン１００に収容されている場合においても得られる。
【００４０】
図１〜図３に示す例では、両方向に切り裂きが容易な切り裂き列１１ｅ、１１ｆ、１２ｅ、１２ｆは、半円状又は円弧状の切り込みを断続的かつ一列に配置して構成されている。
【００４１】
両方向にカートン１００の切り裂きが容易な切り裂き列は、図１〜図３に示す例に限定されず種々の形態として実現されうる。以下、両方向にカートン１００の切り裂きが容易な切り裂き列の他の実施例を図４を参照しながら例示的に説明する。図４に示す切り裂き部（切り裂き列）は、図１及び図２に示す切り裂き列１１ｅ、１１ｆ、１２ｅ、１２ｆに代えて採用されうる。ここで、図４の（ａ）〜（ｆ）のいずれに示す例においても、カートンの広面部から帯状部分を切り取ることによって、広面部を部分的に切り離し、カートンの広面部を部分的に開放することができる。
【００４２】
なお、図４の（ａ）〜（ｆ）に示す例では、帯状部分３００を２方向（図中の左方向、右方向）のいずれの方向にも切り取ることができる。しかしながら、帯状部分は、片方向にのみ切り取りが可能な構造であってもよい。このような場合においても、広面部のうち開放したい部分（例えば、図３の符号２００を付した部分）の両側の切り裂き列１１ｅ、１１ｆに相当する２つの帯状部分３００をそれぞれ切り取ることにより、該開放したい部分を開放することができる。
【００４３】
図４（ａ）に示す切り裂き列の例では、半円状又は円弧状の切り込みが断続的に２列に配置されている。
【００４４】
図４（ｂ）に示す切り裂き列の例では、半円状又は円弧状の部分の両端に直線部を有する切り込みが断続的に２列に配置されている。
【００４５】
図４（ｃ）に示す切り裂き列の例では、半円状又は円弧状の切り込みと、直線状の切り込みとが交互に２列に配置されている。
【００４６】
図４（ｄ）に示す切り裂き列の例では、第１方向に凸の半円状又は円弧状の切り込みと、第１方向と反対の第２方向に凸の半円状又は円弧状の切り込みとが交互に配置されている。
【００４７】
図４（ｅ）に示す例では、直線状の切り込みが断続的に配置され、右から左に帯状部分を切り取る場合には、内側の２本の切り込みで形成される帯状部分が切り取られ、左から右に帯状部分を切り取る場合には、外側の２本の切り込みで形成される帯状部分が切り取られうる。
【００４８】
図４（ｆ）に示す例では、切り取り方向に沿った直線状の切り込みと該切り取り方向と平行でない直線状の切り込みとで構成される単位切り込みが断続的に配置されている。この例では、右から左に帯状部分を切り取る場合には、内側の２本の切り込みで形成される帯状部分が切り取られ、左から右に帯状部分を切り取る場合には、外側の２本の切り込みで形成される帯状部分が切り取られうる。
【００４９】
【発明の効果】
本発明によれば、例えば、包装材から容器等の被包装物を取り出す際における包装材の置き方の自由度を高めることでき、又は、２以上の向きのいずれの向きに包装材を置いた場合においても被包装物の容易な取り出しを可能にすることができる。
【図面の簡単な説明】
【図１】本発明の包装材の好適な実施の形態としてのカートンの展開状態を示す図である。
【図２】図１に示すカートンを箱状にした状態を示す図である。
【図３】図２に示すカートンからの被包装物の取り出し方法を示す図である。
【図４】切り裂き列の例を示す図である。
【符号の説明】
１１、１２  広面部
１１ａ、１１ｂ、１２ａ、１２ｂ  第１切り裂き列（片方向）
１１ｃ、１１ｄ、１２ｃ、１２ｄ  第２切り裂き列（片方向）
１１ｅ、１１ｆ、１２ｅ、１２ｆ  第３切り裂き列（両方向）
１１ｇ、１１ｈ、１２ｇ、１２ｈ  折り曲げ用切り込み又は罫線（窪み）
１１ｉ、１２ｉ  第１端部
１１ｊ、１２ｊ  第２端部
２１、２２  狭面部
２１ａ、２１ｂ、２２ａ、２２ｂ  切り裂き列
２１ｃ、２２ｃ  切り込み
３１〜３８  フラップ
４１  連結部
４０  容器
５０  マルチパック
１００  カートン
【図１】
2004250016.tif 000003
【図２】
2004250016.tif 000004
【図３】
2004250016.tif 000005
【図４】
2004250016.tif 000006